(57)【要約】      （修正有）【課題】省スペース、収納スペースが調整可能、携帯しやすく、釣り糸を有効的に保護、美観、使用しやすく、多様な用途、繰返し使用でき、適用性が広く、資源節約などの長所がある収納スペース調整機能付き連接可能な釣り糸用収納箱を提供する。【解決手段】収納箱の蓋１１の開口部の内側に第一ねじ山１１１があり、収納箱の蓋の中に頂面１１２があり、収納箱の本体１２の上部縁部の外側に第一ねじ山に対応する第二ねじ山１２１があり、収納箱の本体の下部縁部の内側に第二ねじ山に対応する第三ねじ山１２２があり、収納箱の本体が貫通式であり、収納箱の底１３の上部縁部の外側に第一ねじ山と第三ねじ山とに対応する第四ねじ山１３１があり、収納箱の底の下部縁部の内側に第二ねじ山と第四ねじ山とに対応する第五ねじ山１３２があり、収納箱の底の中に底面１３３がある。【選択図】図１
0003215131.tif 000002
【実用新案登録請求の範囲】
【請求項１】
収納箱の蓋（１１）と、収納箱の本体（１２）と、収納箱の底（１３）とを有し、前記収納箱の蓋（１１）の開口部の内側に第一ねじ山（１１１）があり、前記収納箱の蓋（１１）の中に頂面（１１２）があり、前記収納箱の本体（１２）の上部縁部の外側に前記第一ねじ山（１１１）に対応する第二ねじ山（１２１）があり、前記収納箱の本体（１２）の下部縁部の内側に前記第二ねじ山（１２１）に対応する第三ねじ山（１２２）があり、前記収納箱の本体（１２）が貫通式であり、前記収納箱の底（１３）の上部縁部の外側に前記第一ねじ山（１１１）と前記第三ねじ山（１２２）とに対応する第四ねじ山（１３１）があり、前記収納箱の底（１３）の下部縁部の内側に前記第二ねじ山（１２１）と前記第四ねじ山（１３１）とに対応する第五ねじ山（１３２）があり、前記収納箱の底（１３）の中に底面（１３３）があることを特徴とする収納スペース調整機能付き連接可能な釣り糸用収納箱。
【請求項２】
前記収納箱の蓋（１１）と収納箱の本体（１２）とは、前記第一ねじ山（１１１）及び第二ねじ山（１２１）を通じて繋がることができることを特徴とする請求項１の収納スペース調整機能付き連接可能な釣り糸用収納箱。
【請求項３】
前記収納箱の蓋（１１）と前記収納箱の底（１３）とは、前記第一ねじ山（１１１）及び第四ねじ山（１３１）を通じて繋がることができることを特徴とする請求項１の収納スペース調整機能付き連接可能な釣り糸用収納箱。
【請求項４】
前記収納箱の本体（１２）と前記収納箱の底（１３）とは、前記第三ねじ山（１２２）及び第四ねじ山（１３１）を通じて繋がることができることを特徴とする請求項１の収納スペース調整機能付き連接可能な釣り糸用収納箱。
【請求項５】
前記収納箱の本体（１２）と前記収納箱の底（１３）とは、前記第二ねじ山（１２１）及び前記第五ねじ山（１３２）を通じて繋がることができることを特徴とする請求項１の収納スペース調整機能付き連接可能な釣り糸用収納箱。
【請求項６】
複数の前記収納箱の本体（１２）同士は、前記第二ねじ山（１２１）及び第三ねじ山（１２２）を通じて繋がることができることを特徴とする請求項１の収納スペース調整機能付き連接可能な釣り糸用収納箱。
【請求項７】
複数の前記収納箱の底（１３）同士は、前記第四ねじ山（１３１）及び第五ねじ山（１３２）を通じて繋がることができることを特徴とする請求項１の収納スペース調整機能付き連接可能な釣り糸用収納箱。
【請求項８】
前記収納箱の蓋（１１）の中に頂面（１１２）があり、前記収納箱の本体（１２）が貫通式であり、前記収納箱の底（１３）の中に底面（１３３）があることを特徴とする請求項１の収納スペース調整機能付き連接可能な釣り糸用収納箱。
【請求項９】
前記収納箱の蓋（１１）の開口部側が中空であり、前記収納箱の底（１３）の上部側が中空であり、前記収納箱の底（１３）の下部側が中空であることを特徴とする請求項１の収納スペース調整機能付き連接可能な釣り糸用収納箱。
【請求項１０】
前記収納箱の蓋（１１）と前記収納箱の本体（１２）と前記収納箱の底（１３）とが同じ外径を有する円形であり、しかも外壁表面にスリップ防止模様突起があることを特徴とする請求項１の収納スペース調整機能付き連接可能な釣り糸用収納箱。
【考案の詳細な説明】
【技術分野】
【０００１】
本考案は釣り具、特に収納スペース調整機能付き連接可能な釣り糸用収納箱に関する。
【背景技術】
【０００２】
市販の釣り糸商品は、Ｉ型のスプールに釣り糸を巻きつけて、プラスチック製や金属製の包装ケースの中に収納する方式が主流であり、スプールはＩ型の円柱体である。多種多様な釣り糸があり、ナイロン・フロロカーボン・ＰＥは主流である。各種材質の釣り糸は多種の号数と色もあり、めいめいのスプールに巻かなければならず、めいめい独立の包装ケースで包装する。釣り人は、釣る時に水と魚の状況に合った釣り糸を選択して使用するので、様々な釣り糸を携帯するのが常態である。ただし、市場の釣り糸の包装ケースは独立な包装で、様々なサイズがあり、雑で、スペースを取り、選択と使用が不便で、携帯と保管が面倒である。しかも、単一な機能で重複利用できず、使用後は廃棄され、無駄である。しかも、プラスチック製のケースは外部と完全に遮断できず、釣り糸が外部の硬いものに擦られやすいし、空気・湿気・ほこりを遮断する機能もないので、釣り糸が湿気や外部の汚染で性能が劣化しやすい。紫外線をカットする機能がなければ、釣り糸が劣化しやすい。
【考案の概要】
【考案が解決しようとする課題】
【０００３】
一方、釣り針、サルカン、オモリ、ベイトなど小物は、サイズ・種類がたいへん雑多で、選択と使用の容易さのために、号数・色・種類で分類し、区分保管しなければならない。こんな様々な小物の保管・携帯はたいへん面倒である。例えば、市販の釣り針用のケースでは、小型の釣り針用のケースでは、大型の釣り針が収納できないし、大型の釣り針用のケースでは、小型の釣り針を収納する場合に、スペースが大きすぎ、釣り針が取りにくいし、スペースの無駄で、そして、ケースの体積が大きいので、携帯も面倒である。その他の小物もそういった状況である。こんなサイズ・種類・色がとても雑多な小物が、スペースを取り、雑で、分類保管し難く、紛失し易くて、携帯が面倒なうえ、適切に保管しないと怪我をする恐れもある。
【課題を解決するための手段】
【０００４】
本考案は上記技術的な不具合を改善するために発明したもので、省スペース、収納スペースが調整可能、携帯しやすく、釣り糸を有効的に保護、美観、使用しやすく、多様な用途、繰返し使用でき、適用性が広く、資源節約などの長所がある収納スペース調整機能付き連接可能な釣り糸用収納箱を提供する。
【０００５】
本考案に係る収納スペース調整機能付き連接可能な釣り糸用収納箱は、収納箱の蓋と、収納箱の本体と、収納箱の底とを有し、前記収納箱の蓋の開口部の内側に第一ねじ山があり、前記収納箱の蓋の中に頂面があり、前記収納箱の本体の上部縁部の外側に前記第一ねじ山に対応する第二ねじ山があり、前記収納箱の本体の下部縁部の内側に前記第二ねじ山に対応する第三ねじ山があり、前記収納箱の本体が貫通式であり、前記収納箱の底の上部縁部の外側に前記第一ねじ山と前記第三ねじ山とに対応する第四ねじ山があり、前記収納箱の底の下部縁部の内側に前記第二ねじ山と前記第四ねじ山とに対応する第五ねじ山があり、前記収納箱の底の中に底面があることを特徴とする。
【０００６】
更に、本考案に係る収納スペース調整機能付き連接可能な釣り糸用収納箱は、前記収納箱の蓋と前記収納箱の本体とは、前記第一ねじ山及び前記第二ねじ山を通じて繋がることができる。
【０００７】
更に、本考案に係る収納スペース調整機能付き連接可能な釣り糸用収納箱は、前記収納箱の蓋と前記収納箱の底とは、前記第一ねじ山及び前記第四ねじ山を通じて繋がることができる。
【０００８】
更に、本考案に係る収納スペース調整機能付き連接可能な釣り糸用収納箱は、前記収納箱の本体と前記収納箱の底とは、前記第三ねじ山及び前記第四ねじ山を通じて繋がることができる。
【０００９】
更に、本考案に係る収納スペース調整機能付き連接可能な釣り糸用収納箱は、前記収納箱の本体と前記収納箱の底とは、前記第二ねじ山及び前記第五ねじ山を通じて繋がることができる。
【００１０】
更に、本考案に係る収納スペース調整機能付き連接可能な釣り糸用収納箱は、複数の前記収納箱の本体同士は、前記第二ねじ山及び前記第三ねじ山を通じて繋がることができる。
【００１１】
更に、本考案に係る収納スペース調整機能付き連接可能な釣り糸用収納箱は、複数の前記収納箱の底同士は、前記第四ねじ山及び前記第五ねじ山を通じて繋がることができる。
【００１２】
更に、本考案に係る収納スペース調整機能付き連接可能な釣り糸用収納箱は、前記収納箱の蓋の中に頂面があり、前記収納箱の本体が貫通式であり、前記収納箱の底の中に底面がある。
【００１３】
更に、本考案に係る収納スペース調整機能付き連接可能な釣り糸用収納箱は、前記収納箱の蓋の開口部側が中空であり、前記収納箱の底の上部側が中空であり、前記収納箱の底の下部側が中空である。
【００１４】
更に、本考案に係る収納スペース調整機能付き連接可能な釣り糸用収納箱は、前記収納箱の蓋と前記収納箱の本体と前記収納箱の底とが同じ外径を有する円形であり、しかも外壁表面にスリップ防止模様突起がある。
【考案の効果】
【００１５】
本考案は収納スペース調整機能付き連接可能な釣り糸用収納箱を提供する。前記第一ねじ山、前記第二ねじ山、前記第三ねじ山、前記第四ねじ山、前記第五ねじ山を設けることで、前記収納箱の蓋と前記収納箱の本体と前記収納箱の底とをニーズで自由に繋げることができる効果を実現する。前記収納箱の底の中に底面を設けることで、前記底面の両端を隔離し区分する効果を実現するが、必要があれば、前記収納箱の底を前記収納箱の蓋に代えて使える。前記収納箱の本体が貫通式であり、一つ或いは複数の前記収納箱本体同士を繋ぎ合わせることで、収納スペースを調整する効能を実現する。前記収納箱の蓋の中に頂面があり、前記収納箱の底の中に底面があり、前記収納箱の上下両端が密閉する効果を実現する。前記収納箱の蓋の開口部側が中空であり、前記収納箱の底の上部側が中空であり、前記収納箱の底の下部側が中空であり、収納スペースを有効的に向上する効果を実現する。前記収納箱の蓋と前記収納箱の本体と前記収納箱の底とが同じ外径を有する円形であり、蓋と本体と底とが円筒状に合わせられることを実現する。前記収納箱の蓋と前記収納箱の本体と前記収納箱の底と、外壁表面にスリップ防止模様突起を設けることで、蓋と本体と底とを捻って開閉する時、スリップを避ける。また、設けた突起により前記収納箱の蓋と前記収納箱の本体と前記収納箱の底との強度も向上する。本考案の収納スペース調整機能付き連接可能な釣り糸用収納箱は、ユーザーのニーズで自由に組み合わせ、収納スペースをニーズによって増減することを実現するが、薄いものや厚いもの、大きいものや小さいもの、長いものや短いもの、どんな特性のものでも適用でき、携帯しやすく、省スペースで、軽量、しかも用途がとても広く、実用かつ便利で、環境保護にも重大的な意義がある。
【図面の簡単な説明】
【００１６】
【図１】本考案の収納スペース調整機能付き連接可能な釣り糸用収納箱の構造分解図である。
【図２】本考案の収納箱の蓋と収納箱の底との繋がりイメージ図である。
【図３】本考案の収納箱の蓋と複数の収納箱の本体と収納箱の底との繋がりイメージ図である。
【図４】本考案の収納箱の蓋と複数の収納箱の本体と複数の収納箱の底との繋がりイメージ図である。
【考案を実施するための形態】
【００１７】
本考案の目的、技術案と長所を詳しく説明するために、次は本考案の図面を使って、本考案に使われる技術案を具体的に説明する。説明する実施例は本考案の一部の実施例に過ぎず、全ての実施例を網羅していない。本考案の実施例を参照することで、当業者が創造的な仕事をせずに得たような実施例は全て本考案の保護範囲内にある。
【００１８】
図１は本考案の収納スペース調整機能付き連接可能な釣り糸用収納箱の構造分解図である。本考案の収納スペース調整機能付き連接可能な釣り糸用収納箱は、収納箱の蓋１１と、収納箱の本体１２と、収納箱の底１３とを有し、前記収納箱の蓋１１の開口部の内側に第一ねじ山１１１があり、前記収納箱の蓋１１の中に頂面１１２があり、前記収納箱の本体１２の上部縁部の外側に前記第一ねじ山１１１に対応する第二ねじ山１２１があり、前記収納箱の本体１２の下部縁部の内側に前記第二ねじ山１２１に対応する第三ねじ山１２２があり、前記収納箱の本体１２が貫通式であり、前記収納箱の底１３の上部縁部の外側に前記第一ねじ山１１１と前記第三ねじ山１２２とに対応する第四ねじ山１３１があり、前記収納箱の底１３の下部縁部の内側に前記第二ねじ山１２１と前記第四ねじ山１３１とに対応する第五ねじ山１３２がある。
【００１９】
更に、前記収納箱の蓋１１と収納箱の本体１２とは、前記第一ねじ山１１１及び前記第二ねじ山１２１を通じて繋がることができる
【００２０】
更に、前記収納箱の本体１２と前記収納箱の底１３とは、前記第三ねじ山１２２及び前記第四ねじ山１３１を通じて繋がることができる。
【００２１】
更に、前記収納箱の蓋１１の中に頂面１１２があり、前記収納箱の本体１２が貫通式であり、前記収納箱の底１３の中に底面１３３がある。
【００２２】
更に、前記収納箱の蓋１１の開口部側が中空であり、前記収納箱の底１３の上部側が中空であり、前記収納箱の底１３の下部側が中空である。
【００２３】
更に、図２は本考案の収納箱の蓋と収納箱の底との繋がりイメージ図である。前記収納箱の蓋１１と前記収納箱の底１３とは、前記第一ねじ山１１１及び前記第四ねじ山１３１を通じて繋がることができる。
【００２４】
更に、図３は本考案の収納箱の蓋と複数の収納箱の本体と収納箱の底との繋がりイメージ図である。複数の前記収納箱の本体１２同士は、前記第二ねじ山１２１及び前記第三ねじ山１２２を通じて繋がることができる。
【００２５】
更に、図４は本考案の収納箱の蓋と複数の収納箱の本体と複数の収納箱の底との繋がりイメージ図である。前記収納箱の本体１２と前記収納箱の底１３とは、前記第二ねじ山１２１及び前記第五ねじ山１３２を通じて繋がることができる。
【００２６】
更に、複数の前記収納箱の底１３同士は、前記第四ねじ山１３１及び前記第五ねじ山１３２を通じて繋がることができる。
【００２７】
更に、前記収納箱の蓋１１と前記収納箱の本体１２と前記収納箱の底１３とは、同じ外径を有する円形であり、しかも外壁表面にスリップ防止模様突起がある。
【００２８】
本考案の収納箱は次の３つの部分で構成される。Ａ：収納箱の蓋、Ｂ：収納箱の本体；Ｃ：収納箱の底
製品構造及び機能説明：
【００２９】
一つの収納箱の蓋と一つの収納箱の底とは、ねじ山を通じて繋がり、完全密閉な形の収納箱を形成し、一つの釣り糸を巻いたスプールや複数の薄いスプールが収納できる。
【００３０】
一つの収納箱の蓋と一又は複数の収納箱の本体と一つの収納箱の底とは、ねじ山を通じて繋がり、完全密閉な形の収納箱を形成し、複数の釣り糸を巻いたスプールや厚いスプールが収納できる。
【００３１】
一つの収納箱の蓋と複数の収納箱の本体と複数の収納箱の底とは、ねじ山を通じて繋がり、完全密閉な形の収納箱を形成し、釣り糸を巻いた複数の様々厚さのスプールが収納できる。そのうえ、複数の底面が有る収納箱の底を使うので、ユーザーのニーズで収納箱をまちまちの厚さの独立スペースに分轄でき、各々のスペースが独立であり、それぞれに小物を収納することが実現できる。かつ、収納箱の底が収納箱の蓋として使う事も出来る。それぞれ独立のスペースを完璧に繋ぎ合わせることを実現し、美観で、持ち運びや使用が便利なうえ、実用性に優れる。
【００３２】
収納箱の蓋と収納箱の本体と収納箱の底がねじ山を通じて繋ぎ合わされ、完全密閉な形の収納箱を形成する。釣り糸を密閉して保存する効果を果たすことができるし、釣り糸が外部の硬いものに擦られることを防ぐ上に、空気・湿気・ほこりを遮断する機能があるので、湿気や外部からの汚染を防ぐことで、劣化を防止し、釣り糸の性能を大幅に延ばすことが出来る。
【００３３】
釣り糸の種類としては、主にナイロンとフロロカーボンとＰＥである。その中で、一番使われるのはナイロン糸である。ただし、紫外線による強力の低下がナイロン糸の弱点で、紫外線を連続１０時間照射すると強力が５０％程度低下する。収納箱を成型する時、原料の段階で紫外線カット樹脂を練り込み、或いは収納箱の表面にも紫外線コートを施して、ナイロン糸の紫外線による劣化を防ぎ、ナイロン糸の性能が大幅に延ばされる。収納箱はプラスチック製でもいいし、金属製でもいい。プラスチック製の収納箱は透明材料を使えば、外より収納箱の内に収納される釣り糸がしっかり見えるので、識別しやすいし、使用も便利である。金属製の収納箱は、硬く、その上、光線をカットするので、紫外線より釣り糸の劣化が防げる。プラスチック製とか、金属製とか、どんな収納箱でも長時間使え、用途も広範で、何回も重複使用でき、資源の節約の面に於いても重大な意義がある。
【００３４】
釣り糸の使用済後でも、収納箱はとても広範な用途がある。釣りをする時、釣り針、サルカン、ウキ、オモリ、夜光ビーズ、ベイトなど小物が使われる。その上、これらの小物は様々なサイズ、色、種類があり、変わりやすい水や魚の状況に適切に対応するために、これらの様々な小物を身につけて携行する。普通、ビニール袋やプラスチック製の箱でこれらの小物を収納するが、ビニール袋の場合は、事前の用意が必要で面倒なうえ、袋が破損して小物がおちたり、釣り針でけがをしたりすることがある。または、小物入れを用意することがあるが、小物が多くて、形が様々で、全部収納できる箱を見つけるのは一苦労である。一方、市販の収納箱を使うことができるが、値段が割高で、小さいサイズの小物が収納できる箱は大きいサイズの小物が収納できなく、大きいサイズの小物が収納できる箱に小さい小物を収納すれば、スペースが大きすぎ無駄で、かつ、サイズも統一しておらず、携帯と使用には不便で、通用性が悪い。釣り人が本考案の収納箱を使うと、釣り糸の収納箱それ自身が収納箱として小物を収納する機能も付いている為、釣り糸を使用済後、様々な小物を収納箱に収納し、収納箱の蓋と本体と底とは、ニーズにより自由に組み合わせられ、収納スペースが調整でき、様々なサイズ、色、種類の小物が別々に収納できるし、省スペースで、持ち運びも使用も便利で、小物の落下と釣り針によるけがも防ぐ事が出来る。
【００３５】
収納箱本体の上部縁部の外側に第二ねじ山があり、第二ねじ山を外側に設けたので、第二ねじ山に付いた汚れを取りやすいし、捻り合わせる時、第二ねじ山に付いた汚れがねじ溝に沿って外に出され、汚れが収納箱に入らないので、収納した釣り糸や小物などを汚すことを防ぐことができる。同じ道理で、収納箱底の上部縁部の外側に第四ねじ山があり、第四ねじ山を外側に設けたので、同じ機能も実現する。
【００３６】
収納箱蓋の開口部の内側に第一ねじ山があり、収納箱本体の上部縁部の外側に第二ねじ山があり、収納箱本体の下部縁部の内側に第三ねじ山があり、収納箱底の上部縁部の外側に第四ねじ山があり、収納箱底の下部縁部の内側に第五ねじ山がある。ユーザーのニーズで、複数の収納箱本体同士と複数の収納箱底同士とを繋ぎ、収納箱蓋と繋ぎ合わせることができる。複数の収納箱本体同士の間に繋ぐことで、収納スペースを調整する機能が実現できる。複数の収納箱本体同士と複数の収納箱底同士とを繋ぐことで、収納箱底の底面に通じて、底面の両端を隔離する役割をして、様々な収納スペースを調整する機能が実現する。しかも、収納箱底が収納箱蓋に代わって、収納箱の上部として密閉する機能が実現できる。本考案の収納箱は、釣り糸用のスプールを収納できるし、釣り用の小物を収納できるし、省スペースの効果が顕著であり、釣り道具を整理整頓でき、持ち運びと使用も便利になる。この機能は釣りの時の小物入れとして便利であるほか、日常生活によく使われる小物を収納することにも利用できる（例えば、装身具、小部品、押しピン、ゼムクリップ、丸薬、キャンディなどを収納できる）。携帯に便利で、実用で、適用性がとても広い。
【００３７】
収納箱蓋と収納箱本体と収納箱底とを捻り合わせて、完全に密閉な収納箱になる。単独に使ってもいいし、複数の収納箱本体と複数の収納箱底とを繋ぎ合わせて使ってもいい。収納スペースが調整でき、ニーズで組み合わせることができる。とても便利であり、適用性と通用性が顕著であり、資源の消耗と無駄を減らし、省エネの効果に達する。
【００３８】
収納箱蓋と収納箱本体と収納箱底との外壁にスリップ防止模様突起があり、捻り閉める時と捻り開ける時、手と外壁との摩擦係数が向上することにより、スリップを避けることができる。その上、設けた突起が収納箱の蓋と本体と底との強度の向上にもなる。突起は半球の形でもいいし、図案でもいい。
【００３９】
特製のシールを作り、収納箱の外壁に貼って、ユーザーがシールをメモとして使用すれば、収納した小物がよく分かり、収納と使用が便利である。
【００４０】
収納箱の蓋と収納箱の本体と収納箱の底とは、互いに適応するサイズの条件を設計する上に、円柱、三角形、菱形など、任意の形に設計することができる。
【００４１】
最後に説明しておきたいのは、上記の実施例は本考案の技術案を説明するためのものであり、本考案の利用方法を制限するものではない。この実施例で本考案について具体的に説明したが、当業者は、この実施例の技術案を修正し、あるいは一部の技術特徴を同等に改良することができることを理解すべきである。これらの修正と改良は、技術の本質が本考案の実施例の技術案の精神を離脱するものではない。
【符号の説明】
【００４２】
１１  蓋
１２  本体
１３  底
１１１  第一ねじ山
１１２  頂面
１２１  第二ねじ山
１２２  第三ねじ山
１３１  第四ねじ山
１３２  第五ねじ山
１３３  底面
【図１】
0003215131.tif 000003
【図２】
0003215131.tif 000004
【図３】
0003215131.tif 000005
【図４】
0003215131.tif 000006